(57)【要約】【課題】水分を含んだ高湿空気を除湿する差異に放出する潜熱のエネルギーや空気の温度エネルギーを冷却水とともに外部に排出せずに、エネルギー効率の良い洗濯乾燥機を得る。【解決手段】水槽２内に回転可能に内設される衣類収納容器３と乾燥装置を有し、これらを通過する循環空気流により衣類収納容器３内に収納された衣類を乾燥する機能と衣類を洗濯する機能とを備え、乾燥装置は熱交換器７、８と圧縮機９により構成されるヒートポンプ機構で構成し、熱交換器７、８及び圧縮機９は衣類収納機内の水分を排出する洗濯水排水経路１０ａの最上部１０ｄよりも上方に位置させて、水分を含んだ高湿空気を除湿する際に水を消費せず、エネルギー効率がよく、熱交換器に洗剤成分や汚れ成分が付着することもない。【選択図】　　　図１
2004135715.tif 000002
【特許請求の範囲】
【請求項１】
水槽内に回転可能に内設される衣類収納容器と乾燥装置を有し、これらを通過する循環空気流により前記衣類収納容器内に収納された衣類を乾燥する機能と前記衣類を洗濯する機能とを備えた洗濯乾燥機において、前記乾燥装置は熱交換器と圧縮機により構成されるヒートポンプ機構で構成し、前記熱交換器および圧縮機は、前記衣類収納機内の水分を排出する洗濯水排水経路の最上部よりも上方に位置させたことを特徴とする洗濯乾燥機。
【請求項２】
水槽内に回転可能に内設される衣類収納容器と乾燥装置を有し、これらを通過する循環空気流により前記衣類収納容器内に収納された衣類を乾燥する機能と前記衣類を洗濯する機能とを備えた洗濯乾燥機において、前記乾燥装置は熱交換器と圧縮機により構成されるヒートポンプ機構で構成し、前記熱交換器および圧縮機は、前記衣類収納容器内の水分を排出する洗濯水排水経路の最上部よりも下方に位置させ、前記衣類収納容器と前記熱交換器とを風路接続する風路の一部は前記洗濯水排水経路の最上部よりも上方に位置させたことを特徴とする洗濯乾燥機。
【請求項３】
水槽内に回転可能に内設される衣類収納容器と乾燥装置を有し、これらを通過する循環空気流により前記衣類収納容器内に収納された衣類を乾燥する機能と前記衣類を洗濯する機能とを備えた洗濯乾燥機において、前記乾燥装置は熱交換器と圧縮機により構成されるヒートポンプ機構で構成し、前記熱交換器を、前記洗濯水排水経路の最上部よりも下方に配置し、前記熱交換器の凝縮水排水経路と前記洗濯水排水経路のそれぞれの排出口が近接または連結する洗濯乾燥機において、洗濯水排水経路から排水される洗濯水が前記凝縮水排水経路を遡り、前記熱交換器側への侵入を防止する弁を設けたことを特徴とする洗濯乾燥機。
【請求項４】
前記熱交換器と圧縮機は、前記水槽を支持保持する外箱に一体に固定設置したことを特徴とする洗濯乾燥機。
【発明の詳細な説明】
【０００１】
【産業上の利用分野】
本発明は、被洗濯物を洗濯および乾燥する機能を備えた洗濯乾燥機に関するものである。
【０００２】
【従来の技術】
従来の洗濯乾燥機においては、乾燥動作において衣類から蒸発した水分を含んだ高湿空気を除湿する際、熱交換器の冷却水で冷却して除湿する構成にしている（例えば、特許文献１参照。）
【０００３】
【特許文献１】
特開２０００−９３６９７号公報（第３頁、第１図）
【０００４】
【発明が解決しようとする課題】
上記のような従来の洗濯乾燥機では、衣類から蒸発した水分を含んだ高湿空気を除湿する際に熱交換器の冷却水で冷却している。このとき、水分が凝縮する際に放出する潜熱のエネルギーや空気の温度エネルギーは冷却水に吸収され、冷却水とともに外部に排出されてしまう。つまり、従来の水冷型の除湿用熱交換器を利用した洗濯乾燥機では、多量のエネルギーを廃棄してしまうとともに、多量の冷却水を消費してしまうという問題点があった。
【０００５】
この発明は、上述のような課題を解決するためになされたもので、水分を含んだ高湿空気を除湿する際に水を消費せず、さらに、エネルギー効率のよい洗濯乾燥機を提供するものである。
【０００６】
【課題を解決するための手段】
この発明にかかる洗濯乾燥機においては、水槽内に回転可能に内設される衣類収納容器と乾燥装置を有し、これらを通過する循環空気流により前記衣類収納容器内に収納された衣類を乾燥する機能と前記衣類を洗濯する機能とを備えた洗濯乾燥機において、前記乾燥装置は熱交換器と圧縮機により構成されるヒートポンプ機構で構成し、前記熱交換器および圧縮機は、前記衣類収納機内の水分を排出する洗濯水排水経路の最上部よりも上方に位置させたものである。
【０００７】
【発明の実施の形態】
実施の形態１．
図１はこの発明の実施の形態１である洗濯乾燥機を示す構成図である。図において、１は外箱、２は外箱１内に弾性支持された水槽、３は水槽２内に水平軸を中心に回転可能に設置され、周壁に多数の穴を有する円筒形状のドラム（特許請求の範囲でいう衣類収納容器）、４は水槽２と弾性体にて接続され、水槽２からの排気を導入する排気風路、５は水槽２と弾性体にて接続され、ドラム３内部へ温風を供給する給気風路である。６は送風装置、７は除湿用熱交換器、８は加熱用熱交換器、９は圧縮機であり、圧縮機９にて加圧された冷媒が、加熱用熱交換器８へ供給され、さらに膨張弁（図示せず）を通過し、除湿用熱交換機７へ送られ、再び圧縮機９へ戻るように冷媒回路（図示せず）が接続され、除湿用熱交換器７と加熱用熱交換器８と圧縮機９でヒートポンプ機構（特許請求の範囲でいう乾燥装置）を構成している。
【０００８】
１０は洗濯水排水経路で、水槽側排水ホース１０ａと排水ポンプ１０ｂ、排出側排水ホース１０ｃからなっている。水槽側排水ホース１０ａは、水槽２下部と水槽２より下方に設けられた排水ポンプ１０ｂを接続し、排水ポンプ１０ｂの排出側は排出側排水ホース１０ｃに接続される。排出側排水ホース１０ｃは逆Ｕ字型に一度上方に伸び、その後下方に伸びるように配置され、その最上部１０ｄは水槽２の最下部より上方に位置する。
【０００９】
１１は凝縮水排水経路であり、その一端は除湿用熱交換器７の下方に接続され、除湿用熱交換器７にて凝縮した水分を外部に排出させる。凝縮水排水経路１１の端部は、洗濯水排水経路１０の排出側排水ホース１０ｃの端部と連結し、洗濯機設置場所の排水口（図示せず）などに接続される。
【００１０】
除湿用熱交換器７、加熱用熱交換器８、圧縮機９は、外箱１内部の上部で洗濯水排水経路１０の最上部１０ｄより上方に位置するように配置し、外箱１と一体固定されている。排気風路４は水槽２と除湿用熱交換器７とを風路接続し、給気風路５はドラム３と加熱用熱交換器８とを風路接続する。
【００１１】
このように構成された洗濯乾燥機における動作について説明する。まず、洗い動作は、水槽２内に洗剤溶液が蓄えられ、ドラム３が回転駆動される。この回転動作により、ドラム３内部に収納された衣類（図示せず）が洗剤溶液を含みながら、タンブリングされ、洗剤の化学力とタンブリングの機械力により洗い効果を得る。
【００１２】
次に、すすぎ動作は、水槽２内の洗剤溶液が排水された後にすすぎ水がドラム３内に給水され、ドラム３が回転駆動される。すすぎ水によりドラム３内の衣類（図示せず）に含まれた洗剤溶液は希釈され、ドラム３の回転による衣類のタンブリングによってすすぎムラが小さく抑えられる。
【００１３】
上記水槽２への洗剤溶液やすすぎ水の給水の際、水位が所定水位に達すると、通常はセンサ等の働きにより、給水動作は停止する。センサ異常等が発生し、給水動作が停止しないことがあるが、この場合でも、水槽２に給水された洗剤溶液やすすぎ水は洗濯水排水経路１０よりオーバーフローし、洗濯排水経路１０の最上部１０ｄより上方に配置された熱交換器７、８に、洗剤溶液やすすぎ水が入ることがない。
【００１４】
次に、脱水動作は、ドラム３が高速回転駆動されることで行われる。ドラム３の高速回転による遠心力により、ドラム３内部に収納された衣類に含まれる水分は脱水される。洗い動作とすすぎ動作の間や、複数回行われるすすぎ動作の間に脱水動作を行うことですすぎ効率を向上することができる。
【００１５】
次に、乾燥動作では、ドラム３が回転駆動され、さらに、送風装置６、圧縮機９が駆動される。圧縮機９の駆動により、高温の冷媒が加熱用熱交換器８に供給され、加熱用熱交換器８を通過する空気を加熱する。この加熱された空気は、高温空気となり、送風装置６により給気風路５を通してドラム３の内部に供給される。ドラム３の内部に収納された衣類（図示せず）は、ドラム３の回転によりタンブリングされながら、高温空気と接触し、衣類（図示せず）に含まれた水分が蒸発し、衣類の乾燥が進行する。衣類（図示せず）と接触した後の高温空気は、衣類（図示せず）から蒸発した水分を含んで、高湿空気となり、ドラム３の周壁の穴（図示せず）と水槽２、排気風路４を通過し、除湿用熱交換器７に送られる。除湿用熱交換機７には、加熱用熱交換機８で熱を放出し、さらに膨張弁（図示せず）を通過して、低温になった冷媒が供給されている。高湿空気はこの低温の冷媒と熱交換することで冷却され、含んでいた水分が凝縮され、乾燥空気となる。そして、この乾燥空気は、加熱用熱交換器８を通過して高温空気となり、再びドラム３内に供給され、衣類（図示せず）を乾燥させる。
【００１６】
除湿用熱交換器７において、高湿空気を冷却除湿した冷媒は、水分を凝縮する際に放出したエネルギーを吸収し、その後、圧縮機９により高温状態すなわちエネルギーを外部に伝えやすい状態にし、加熱用熱交換器８に送られて空気を加熱する。つまり、水分の凝縮のエネルギーを吸収して空気の加熱に使用している。
【００１７】
このように、水分を含んだ高湿空気の除湿を、圧縮機９、除湿用熱交換器７、加熱用熱交換器８からなるヒートポンプ機構を用いることで、水分の凝縮エネルギーを回収し再利用して空気の加熱を行うことができるので、高湿空気の除湿の際に水を消費せず、エネルギー効率のよい乾燥を実現することができる。
【００１８】
また、圧縮機９、除湿用熱交換器７、加熱用熱交換器８からなるヒートポンプ機構を、洗濯乾燥機の外箱１に一体に固定して設置しているので、機体全体の質量が大きくなり、したがって洗い動作や脱水動作で生じる振動を小さく抑えることができる。
【００１９】
また、圧縮機９、除湿用熱交換器７、加熱用熱交換器８からなるヒートポンプ機構を、洗濯水排水経路１０の最上部１０ｄより上方に設置したので、水槽２内の洗剤溶液やすすぎ水が洗濯水排気風路１０や給気風路５を通って除湿用熱交換器７や加熱用熱交換器８に達することがなく、洗剤溶液やすすぎ水に含まれる洗剤成分や汚れ成分が除湿用熱交換器７や加熱用熱交換器８に付着することがないので、熱交換効率を高く維持できる。
【００２０】
また、空気の循環がドラム３、水槽２、除湿用熱交換器７、加熱用熱交換器８の順に流れるため、ドラム３内の衣類（図示せず）に加熱用熱交換器８で加熱された高温空気を温度低下することなく、供給されるため、効率よく水槽２内の衣類（図示せず）の乾燥ができる。
【００２１】
なお、上記実施の形態１では、洗濯水排水路１０の最上部１０ｄを、水槽２の洗濯水排水経路１０を１つとし、逆Ｕ字上の経路を形成して、その最上部１０ｄを洗濯水排水経路１０の最上部１０ｄとしたが、水槽２から下方に向けた別の水路（以下オーバーフロー水路）を設けて、水槽２と前記オーバーフロー水路の接続部を水槽２の排水経路の最上部としてもよい（図２参照）。
【００２２】
実施の形態２．
図３はこの発明の実施の形態２である洗濯乾燥機を示す断面図である。図において、１〜１１は上記実施の形態１と同一であり、その説明は省略する。２０は洗濯水排水経路で、水槽側排水ホース２０ａ、排水ポンプ２０ｂ、排出側排水ホース２０ｃからなっている。水槽側排水ホース２０ａは、水槽２下部と水槽２より下方に設けられた排水ポンプ２０ｂを接続し、排水ポンプ２０ｂの排出側は排出側排水ホース２０ｃに接続される。排出側排水ホース２０ｃは逆Ｕ字型で一度上方に伸び、その後下方に伸びるように配置され、その最上部２０ｄは水槽２の最下部より上方に位置している。
【００２３】
２１は凝縮水排水経路であり、その一端は除湿用熱交換７の下方に接続され、除湿用熱交換器７にて凝縮した水分を外部に排出させる。凝縮水排水経路２１の途中には凝縮水排水弁２１ａが設けてあり、凝縮水排水経路２１の端部は、洗濯水排水経路２０の排出側排水ホース２０ｃの端部と連結し、洗濯機設置場所の排水口（図示せず）などに接続され、凝縮水排水弁２１ａの開閉により、除湿用熱交換器７と洗濯水排水経路２０との接続を開閉する。
【００２４】
除湿用熱交換器７、加熱用熱交換器８、圧縮機９のヒートポンプ機構は、外箱１内の水槽２よりも下部に位置するように配置し、外箱１と一体固定されている。排気風路４は、水槽２と除湿用熱交換器７とを風路接続し、その一部を洗濯水排水経路２０の最上部２０ｄより上部に位置するように形成する。給気風路５は、ドラム３と加熱用熱交換器８とを風路接続し、その一部を洗濯排水経路２０の最上部２０ｄより上部に位置するように形成する。
【００２５】
このように構成された洗濯乾燥機における動作について説明する。洗い動作、すすぎ動作、脱水動作、乾燥動作は、上記実施の形態１と同様であり、その説明は省略する。なお、洗い動作やすすぎ動作において、水槽２内へ洗剤溶液やすすぎ水２が給水されるとき、水槽２に接続された洗濯水排水経路２０内にも洗剤溶液やすすぎ水が供給される。センサ異常等により、給水水位が所定水位を超えたとしても、水槽２に給水された洗剤溶液やすすぎ水は洗濯水排水経路２０よりオーバーフローし、洗濯水排水経路２０の最上部２０ｄ以上の水位上昇は起こらない。洗濯水排水経路２０の最上部２０ｄより上方にその一部分が位置するように排気風路４や給気風路５を形成したので、水槽２内から排気風路４や給気風路５を通って洗剤溶液やすすぎ水が除湿用熱交換器７や加熱用熱交換器８に入ることがない。また、水槽２内の洗剤溶液やすすぎ水が洗濯排水経路２０から排水されるとき、凝縮水排水弁２１ａにより凝縮水排水経路２１を閉鎖するようにしたので、水槽２内から排水される洗剤溶液やすすぎ水が除湿用熱交換器７や加熱用熱交換器８に入ることはない。
【００２６】
このように構成された実施の形態２は、圧縮機９、除湿用熱交換器７、加熱用熱交換器８からなるヒートポンプ機能を用いて、水分を含んだ空気を除湿し、また、水分の凝縮エネルギーを回収して空気の加熱を行なっているので、水分を含んだ空気を除湿する際に水を消費せず、さらに、エネルギー効率のよい洗濯乾燥機を実現することができ、また、圧縮機９、除湿用熱交換器７、加熱用熱交換器８からなるヒートポンプ機構を外箱１に一体に固定して設置しているため、機体全体の質量が大きくなり、洗い動作や脱水動作で生じる振動を小さく抑えることができる。
【００２７】
さらに、圧縮機９、除湿用熱交換器７、加熱用熱交換器８からなるヒートポンプ機構を洗濯乾燥機の外箱１内部の下部に設置しているため、ドラム３の衣類投入口３ａの位置を高くすることができ、操作性のよい洗濯乾燥機を実現できる。
【００２８】
また、排気風路４や給気風路５の一部を、洗濯水排水路２０の最上部２０ｄよりも高く位置するように形成しているので、除湿用熱交換器７及び加熱用熱交換器８を水槽２の下部に配置していても、水槽２内への洗剤溶液やすすぎ水の給水が進んでも洗濯水排水経路２０の最上部２０ｄよりも水位が上昇することがなく、排気風路４や給気風路５を通って除湿用熱交換器７や加熱用熱交換器８に洗剤溶液やすすぎ水が侵入することがない。
【００２９】
また、水槽２内の洗剤溶液やすすぎ水を排水する時は、凝縮水排水経路２１の途中に設けた凝縮水排水弁２１ａを閉塞するようにしたので、水槽２からの排水が除湿用熱交換器７や加熱用熱交換器８に侵入することがなく、したがって、洗剤溶液やすすぎ水に含まれる洗剤成分や汚れ成分が除湿用熱交換器７や加熱用熱交換器８に付着することがなく、熱交換効率を高く維持できる。
【００３０】
また、空気の循環が、ドラム３、水槽２、除湿用熱交換器７、加熱用熱交換器８の順に流れる構成となっているので、ドラム３内に収納される衣類（図示せず）に、加熱用熱交換器８で加熱された高温空気が温度低下することなく供給することができる。
【００３１】
実施の形態３．
図４はこの発明の実施の形態３を示す洗濯乾燥機の断面図である。図において、３１は外箱、３２は外箱３１内に弾性支持された水槽、３３は水槽３２内に垂直軸を中心に回転可能に設置され、周壁に多数の穴（図示せず）を有する円筒形状の回転槽、３４は回転槽３３の底部に設置されたパルセータ、３５は水槽３２と弾性体にて接続され、水槽３２からの排気を導入する排気風路、３６は水槽３２と弾性体にて接続され、回転槽３３内部へ温風を供給する給気風路、３７は送風装置、３８は除湿用熱交換器、３９は加熱用熱交換器、４０は圧縮機であり、圧縮機４０にて加圧された冷媒が、加熱用熱交換器３９から膨張弁（図示せず）を通過し、除湿用熱交換器３８へ送られ、さらに圧縮機４０へ戻るように冷媒回路が接続されている。除湿用熱交換器３８、加熱用熱交換器３９、圧縮機４０は外箱３１内部の後背部で外箱３１と一体固定されている。
【００３２】
このように構成された洗濯乾燥機における動作について説明する。まず、洗い動作は、水槽３２内に洗剤溶液が蓄えられ、パルセータ３４が往復回転駆動される。このパルセータ３４の往復回転動作により、回転槽３３内部に収納された衣類（図示せず）が洗剤溶液を含みながら、かくはんされ、洗剤の化学力とかくはんの機械力により洗い効果を得る。
【００３３】
次に、すすぎ動作を説明する。水槽３２内の洗剤溶液が排水された後にすすぎ水が回転槽３３内に給水され、パルセータ３４が往復回転駆動される。すすぎ水により回転槽３３内の衣類（図示せず）に含まれた洗剤溶液は希釈され、パルセータ３４の往復回転駆動による衣類のかくはんにより、すすぎムラが小さく抑えられる。
【００３４】
次に、脱水動作を説明する。回転槽３３が高速回転駆動されることで行われる。回転槽３３の高速回転による脱水力により、回転槽３３内部に収納された衣類に含まれる水分は脱水される。洗い動作とすすぎ動作の間や、複数回行われるすすぎ動作の間に脱水動作を行うことですすぎ効率を向上することができる。
【００３５】
次に、乾燥動作について説明する。まず、送風装置３７、圧縮機４０が駆動される。圧縮機４０の駆動により、高温の冷媒が加熱用熱交換器３９に供給され、加熱用熱交換器３８を通過する空気を加熱する。この加熱された空気は、高温空気となり、送風装置３７により給気風路３６を通して回転槽３３の内部に供給される。回転槽３３の内部に収納された衣類（図示せず）は、高温空気と接触し、衣類（図示せず）に含まれた水分が蒸発し、衣類の乾燥が進行する。衣類（図示せず）と接触した後の高温空気は、衣類（図示せず）から蒸発した水分を含んで、高湿空気となり、回転槽３３の周壁の穴（図示せず）と水槽３２及び排気風路３５を通過し、除湿用熱交換器３８に送られる。除湿用熱交換器３８には、加熱用熱交換器３９で熱を放出し、さらに膨張弁（図示せず）を通過して、低温になった冷媒が供給されている。高湿空気は、この低温の冷媒と熱交換することで冷却され、含んでいた水分が凝縮され、乾燥空気となる。そして、この乾燥空気は、加熱用熱交換器３９を通過して高温空気となり、再び回転槽３３内に供給され、衣類（図示せず）を乾燥させる。
【００３６】
このとき、除湿用熱交換器３８においては、高湿空気を冷却除湿した冷媒は、水分を凝縮する際に放出したエネルギーを吸収し、その後、圧縮機４０により高温状態すなわちエネルギーを外部に伝えやすい状態にし、加熱用熱交換器３９に送られて空気を加熱する。つまり、水分の凝縮のエネルギーを吸収して空気の過熱に使用している。
【００３７】
このように、水分を含んだ高湿空気の除湿を、圧縮機４０、除湿用熱交換器３８、加熱用熱交換器３９からなるヒートポンプ機構を用いることで、水分の凝縮エネルギーを回収し再利用して空気の加熱を行うことができるので、高湿空気の除湿の際に水を消費せず、エネルギー効率のよい乾燥を実現することができる。
【００３８】
また、圧縮機４０、除湿用熱交換器３８、加熱用熱交換器３９からなるヒートポンプ機構を、洗濯乾燥機の外箱３１に一体に固定して設置しているので、機体全体の質量が大きくなり、したがって洗い動作や脱水動作で生じる振動を小さく抑えることができ、さらに、ヒートポンプ機構を外箱３１の内部の後背部に設置したので、脱水動作による異常振動が発生しても、質量が外箱３１の後方側に大きくなるため、ユーザーの立ち位置となる外箱３１の前方に機体が倒れることを防止し、安全性を高めることができる。
【００３９】
また、空気の循環が回転槽３３、水槽３２、除湿用熱交換器３８、加熱用熱交換器３９の順に流れるため、回転槽３３内の衣類（図示せず）に加熱用熱交換器３９で加熱された高温空気を温度低下させることなく、供給されるため、効率よく水槽２内の衣類（図示せず）の乾燥ができる。
【００４０】
実施の形態４．
また、図５に示すように、ヒートポンプ機構により送風される高温空気を、水槽２とドラム３の両方に同時に送風するようにすれば、ヒートポンプ機構によるエネルギー効率向上や振動抑制、ヒートポンプ機構への洗剤溶液やすすぎ水の侵入防止など実施の形態１の効果とともに、水槽２のカビ防止とドラム３内の衣類の乾燥を同時に行なうことができる。
【００４１】
図５は、この発明の実施の形態４である洗濯乾燥機を示す断面図で、図において、１〜４、６は上記実施の形態１と同一であり、その説明は省略するとともに、各動作についても同様であり省略する。４３は一方の開口部を送風装置６の送風出口と接続し、他方の開口部を水槽２及びドラム３の両方の開口部に対面させて送風装置６により水槽２及びドラム３の両方に高温空気を供給する給気風路である。そして、本実施の形態４では、上記実施の形態１と同様の効果を奏すると共に、このような給気風路４３を形成することで、加熱用熱交換器８で加熱された高温空気を温度低下することなくドラム３内部に供給されるので、衣類の乾燥が効率良く行われ、さらに水槽２内部にも同時に高温空気が供給されるので、水槽２内部の乾燥も効率良く行うことができ、洗濯乾燥機を長時間使用しない場合に懸念されるカビの発生を防止できる。
【００４２】
実施の形態５．
また、図６に示すように、水槽２にのみヒートポンプ機構からの高温空気を送風するようにすれば、効率良く水槽２の乾燥を行なうことができる。つまり、衣類乾燥の使用法として、衣類に水分を残した状態で乾燥を終了する乾燥方法がある。その場合、衣類に水分があるため水槽２内部の乾燥が不十分となってカビの発生が防止できなかったが、水槽２のみにヒートポンプ機構からの高温空気を送風するようにすれば、水槽２を乾燥動作の初期に乾燥することができる。
【００４３】
図６は、この発明の実施の形態５である洗濯乾燥機を示す断面図で、図において、１〜４、６は上記実施の形態１と同一であり、その説明は省略するとともに、各動作についても同様であり省略する。４４は一方の開口部を送風装置６の送風出口と接続し、他方の開口部を水槽２の背面（開口部以外）と接続して送風装置６により水槽２内に高温空気を供給する給気風路である。そして、本実施の形態５では、上記実施の形態１と同様の効果をそうすると共に、このような給気封路４４を形成することで、加熱用熱交換器８で加熱された高温空気を温度低下することなく水槽２内に供給されてからドラム３内の脱水孔（図示せず）を通してドラム３内に高温空気を供給されるので、乾燥動作の初期段階で水槽２内の乾燥を行なうことができ、ドラム３内の衣類に水分を残した状態で乾燥を終了しても、水槽２のカビの発生を防止することができる。
【００４４】
実施の形態６．
また、図７に示すように、ヒートポンプ機構により送風される高温空気を、水槽３２内に送風するようにすれば、ヒートポンプ機構によるエネルギー効率向上や振動抑制、ヒートポンプ機構への洗剤溶液やすすぎ水の侵入防止など実施の形態１の効果とともに、水槽３２のカビ防止と回転槽３３内の衣類の乾燥を同時に行なうことができる。
【００４５】
図７は、この発明の実施の形態６である洗濯乾燥機を示す断面図で、図において、３１〜３５、３７〜４２は上記実施の形態３と同一であり、その説明は省略するとともに、各動作についても同様であり省略する。６０は一方の開口部を送風装置３７の送風出口と接続し、他方の開口部を水槽３２に接続して送風装置３７により水槽３２に高温空気を供給する給気風路である。そして、本実施の形態６では、上記実施の形態１と同様の効果を奏すると共に、このような給気風路６０を形成することで、加熱用熱交換器３９で加熱された高温空気を温度低下することなく水槽３２内部に供給されるので、水槽３２内部の乾燥も効率良く行うことができ、洗濯乾燥機を長時間使用しない場合に懸念されるカビの発生を防止できるとともに、上記実施の形態３と比べ、供給風路の構成が簡単なため風路圧損の低減によって送風装置３７の能力を小さくできる。さらに、回転槽３３に温風供給する場合に必要である風路が不要になるため、洗濯乾燥機全体の高さを小型化できる。
【００４６】
実施の形態７．
なお、図８に示すように、上記実施の形態３の供給風路を、ヒートポンプ機構により送風される高温空気が、水槽３２を経由しないで回転槽３３内に送風するよな供給風路７０に形成すれば、水槽３２の乾燥に高温空気のエネルギーを消費することなく、効率良く回転槽３３内の衣類の乾燥を行なうことができる。
【００４７】
実施の形態８．
図９と図１０は、この発明の実施の形態８を示す洗濯乾燥機の断面図である。１〜１１は上記実施の形態１と同一であり、その説明は省略する。８０は排気風路４の途中に設けた除湿空気切り換えダンパで、排気風路４に設けた開口部８１の開閉を行うもので、外部と連通の開閉を行うものである。８２は給気風路５に設けた開口部８３の開閉を行う温風切り替えダンパである。
【００４８】
このように構成された洗濯乾燥機における動作について説明する。洗い動作、すすぎ動作、脱水動作、乾燥動作は、上記実施の形態１と同様であり、その説明は省略する。そして、その乾燥動作においては、除湿空気切り替えダンパ８０および温風切り替えダンパ８２が、開口部８１及び開口部８３を閉じる状態、つまり風路気密状態となり、ドラム３、水槽２、排気風路４、除湿用熱交換器７、加熱用熱交換器８、送風装置６、給気封路４の順に循環風路を形成し、実施の形態１と同様、ドラム３内の衣類の乾燥を行う。また、図９に示すように、除湿空気切り替えダンパ８０および温風切り替えダンパ８２が、開口部８１及び開口部８３を開放する状態、つまり風路を外部に開嬢している状態で送風装置６及び圧縮機９を駆動すると、外部の空気が除湿切り替えダンパ８０の開口部８１から吸い込まれて除湿用熱交換器７で除湿され、加熱用熱交換器８で加熱されて高温空気となり、送風装置６により温風切り替えダンパ８２が開放された開口部８３から外部に放出される。すなわち、洗濯乾燥機の設置場所の周辺空間空気の除湿を行なうことができる。
【００４９】
このようにして、洗濯乾燥機に衣類乾燥機能に加えて設置場所の周辺空気の除湿機能を加えることで、風呂場の脱衣所など、湿気の多い場所に洗濯乾燥機を設置した場合には、周辺空気の除湿を行なうことができる。
【００５０】
実施の形態９．
図１１は、この発明の実施の形態９を示す洗濯乾燥機の断面図である。図において、２〜９、２０は上記実施の形態２と同様であり、その説明は省略する。９１は水槽２とドラム３と排気風路４と給気風路５と洗濯水排水経路２０が内設される洗濯乾燥機本体側外箱、９２は送風装置６と除湿用熱交換機７と加熱用熱交換器８と圧縮機９が内設される除湿ユニットで、洗濯乾燥機本体側外箱９１と除湿ユニット９２は上下関係で接続／分離が可能となっている。９３は除湿用熱交換器７にて凝縮した水分を排出する凝縮水排水路で、途中には凝縮水排水弁９３ａを設けてあり、この凝縮水排水経路切り替え弁９３ａにより凝縮水排水路９３の連通先が凝縮水排水経路９３の端部と第２の凝縮水排水経路９４とに切り替えられる。凝縮排水経路９３の端部は凝縮水タンク９５内に導かれており、第２の凝縮水排水路９４は第３の凝縮水排水路９６と連結する第２の凝縮水タンク９７内に導かれる。第３の凝縮排水路９６は、途中に凝縮排水弁９８を設けてあり、洗濯排水経路２０の排出側排水ホース２０ｃの端部と連結し、洗濯機設置場所の排水口（図示せず）などに接続される。凝縮水排水経路９３は凝縮水排水経路切り替え弁９３ａの開閉により、除湿用ユニット９２内に設けられた凝縮水タンク９５に導く状態と、除湿用熱交換器７と連通する洗濯水排水経路２０と接続する第２の凝縮水排水経路９４（第２の凝縮水タンク９７側）つまり本体９１側の凝縮水排水経路に導く状態とに切り替えられる。
【００５１】
このように構成された洗濯乾燥機における動作について説明する。洗濯乾燥機本体側外箱９１と除湿用ユニット９２が接続されたでは、洗い動作、すすぎ動作、脱水動作、乾燥動作は、上記実施の形態２と同様であり、その説明は省略する。このとき、凝縮水排水経路切り替え弁９３ａは、除湿用熱交換器７からの凝縮水を、第２の凝縮水排水経路９４（本体９１側の凝縮水排水経路）に導く状態にされ、凝縮水は第２の凝縮水タンク９７、凝縮排水弁９８を経由して除湿用ユニット９２から外部へ排出される。そして、洗濯乾燥機本体側外箱９１と除湿用ユニット９２が分離され、除湿用ユニット９２が単独で使用した場合には、送風装置６の作用によって、給気風路５と接続されていた除湿用熱交換器７の開口部５ａから外部空気が取り込まれて冷却除湿され、加熱用熱交換器８、送風装置６を通過し、除湿された空気が送風風路４と接続されていた開口部４ａから外部に放出される。このとき、凝縮水排水経路切り替え弁９３ａは凝縮水排水経路９３が導かれるに導かれる状態にされ、凝縮水は凝縮水タンク９５に溜められ、溜められる。
【００５２】
このようにして、除湿用ユニット９２を洗濯乾燥機本体側外箱９１から分離して、任意空間の空気の除湿を行なうことが可能となる。
【００５３】
【発明の効果】
この発明は、以上説明したように、水槽内に回転可能に内設される衣類収納容器と乾燥装置を有し、これらを通過する循環空気流により前記衣類収納容器内に収納された衣類を乾燥する機能と前記衣類を洗濯する機能とを備えた洗濯乾燥機において、前記乾燥装置は熱交換器と圧縮機により構成されるヒートポンプ機構で構成し、前記熱交換器および圧縮機は、前記衣類収納機内の水分を排出する洗濯水排水経路の最上部よりも上方に位置させたので、水分を含んだ高湿空気を除湿する際に水を消費せず、エネルギー効率のよく、熱交換器に洗剤成分や汚れ成分が付着することのない洗濯乾燥機を得ることができる。
【図面の簡単な説明】
【図１】この発明の実施の形態１である洗濯乾燥機を示す断面図である。
【図２】この発明の実施の形態１である洗濯乾燥機を示す断面図である。
【図３】この発明の実施の形態２である洗濯乾燥機を示す断面図である。
【図４】この発明の実施の形態３である洗濯乾燥機を示す断面図である。
【図５】この発明の実施の形態４である洗濯乾燥機を示す断面図である。
【図６】この発明の実施の形態５である洗濯乾燥機を示す断面図である。
【図７】この発明の実施の形態６である洗濯乾燥機を示す断面図である。
【図８】この発明の実施の形態７である洗濯乾燥機を示す断面図である。
【図９】この発明の実施の形態８である洗濯乾燥機を示す乾燥機能時の断面図である。
【図１０】この発明の実施の形態８である洗濯乾燥機を示す除湿機能時の断面図である。
【図１１】この発明の実施の形態９である洗濯乾燥機を示す断面図である。
【符号の説明】
１　外箱、２　水槽、３　ドラム（衣類収納容器）、４　排気風路、５　給気風路、６　送風装置、７　除湿用熱交換器、８　加熱用熱交換器、９　圧縮機、１０　洗濯水排水経路、１０ａ　水槽側排水ホース、１０ｂ　排水ポンプ、１０ｃ　排出側排水ホース、１０ｄ　最上部。
【図１】
2004135715.tif 000003
【図２】
2004135715.tif 000004
【図３】
2004135715.tif 000005
【図４】
2004135715.tif 000006
【図５】
2004135715.tif 000007
【図６】
2004135715.tif 000008
【図７】
2004135715.tif 000009
【図８】
2004135715.tif 000010
【図９】
2004135715.tif 000011
【図１０】
2004135715.tif 000012
【図１１】
2004135715.tif 000013